(57)【要約】【課題】耐湿性、耐熱性、剛性に優れている上に、位置情報を確実に検出することができ、高度な記録再生制御が可能なホログラフィック記録媒体、及びその記録再生方法を提供する。【解決手段】ホログラフィック記録媒体１０は、ガラス材料からなる基板１２と、この基板１２上に設けられたホログラム記録層１４と、有して構成されており、基板１２の表面には、ホログラム記録層１４における位置情報としてマーカ１６が設けられている。【選択図】図１
2005302149.tif 000002
【特許請求の範囲】
【請求項１】
ガラス材料からなる基板と、該基板上に設けられたホログラム記録層と、を有してなり、前記基板の表面には、前記ホログラム記録層における位置情報としてマーカが設けられていることを特徴とするホログラフィック記録媒体。
【請求項２】
請求項１において、
前記マーカは、印刷層からなり、且つ、前記基板における前記ホログラム記録層が設けられている側と反対側の面に設けられていることを特徴とするホログラフィック記録媒体。
【請求項３】
請求項１又は２において、
前記マーカは、記録光又は再生光が入射される側と反対側の面に設けられていることを特徴とするホログラフィック記録媒体。
【請求項４】
請求項１乃至３のいずれかにおいて、
前記ホログラム記録層はガラス材料からなる２枚の基板に挟まれた構造とされ、且つ、該２枚の基板の少なくとも一方には前記マーカが設けられていることを特徴とするホログラフィック記録媒体。
【請求項５】
請求項４において、
前記ホログラム記録層は、前記２枚の基板と、該２枚の基板間に配設された封止層によって封止されていることを特徴とするホログラフィック記録媒体。
【請求項６】
請求項１乃至５において、
記録光又は再生光が入射される側及びその反対側の少なくとも一方の側の表面には、前記記録光又は再生光の表面反射を防止するための反射防止層が形成されていることを特徴とするホログラフィック記録媒体。
【請求項７】
ガラス材料からなる基板と、該基板上に設けられたホログラム記録層と、を有してなり、前記基板の表面には、前記ホログラム記録層における位置情報としてマーカが設けられているホログラフィック記録媒体に情報をホログラムとして記録し、且つ、記録された前記情報を再生するホログラフィック記録再生方法であって、前記マーカを、前記情報を記録又は再生するための記録光又は再生光とは異なる波長の光で検出することを特徴とするホログラフィック記録再生方法。
【請求項８】
ガラス材料からなる基板と、該基板上に設けられたホログラム記録層と、を有してなり、前記基板の表面には、前記ホログラム記録層における位置情報としてマーカが設けられているホログラフィック記録媒体に情報をホログラムとして記録し、且つ、記録された前記情報を再生するホログラフィック記録再生方法であって、前記マーカを、前記情報を記録又は再生するための記録光又は再生光で検出することを特徴とするホログラフィック記録再生方法。
【請求項９】
請求項７又は８において、
前記マーカを用いて前記記録光又は再生光の位置合わせを行うことを特徴とするホログラフィック記録再生方法。
【発明の詳細な説明】
【技術分野】
【０００１】
本発明は、ホログラフィック記録媒体、及びその記録再生方法に関する。
【背景技術】
【０００２】
近年、大容量且つ高速アクセスが可能な記録媒体として、ホログラフィック記録媒体が注目されている。そして、このようなホログラフィック記録媒体の記録再生を行うために、記録媒体自体にアドレス信号やサーボ信号を持たせることが知られており、例えば、特許文献１には、ホログラフィック記録媒体の基板上に凹凸パターンを形成する技術が提案されている。
【０００３】
【特許文献１】特開２００２−６３７３３号公報
【発明の開示】
【発明が解決しようとする課題】
【０００４】
しかしながら、このような従来公知のホログラフィック記録媒体の記録層に広く適用されているフォトポリマーは、熱による変形や、吸湿による膨張、屈折率変化等が生じやすい。そのため、保管中に記録媒体に変形や変質が生じ、再生特性が悪化してしまうといった問題点があった。
【０００５】
かかる問題点を解決するために、記録層の基板として剛性が高く耐候性がある素材を用いることも考えられるが、基板に凹凸パターンやグルーブ（溝）等を形成するのが難しい上に、コスト高になってしまうといった問題点があった。
【０００６】
本発明は、このような問題点を解決するためになされたものであって、耐湿性、耐熱性、剛性に優れている上に、位置情報を確実に検出することができ、高度な記録再生制御が可能なホログラフィック記録媒体、及びその記録再生方法を提供することを目的とする。
【課題を解決するための手段】
【０００７】
本発明の発明者は、鋭意研究の結果、耐湿性、耐熱性、剛性に優れている上に、位置情報を確実に検出することができ、高度な記録再生制御が可能なホログラフィック記録媒体、及びその記録再生方法を見出した。
【０００８】
即ち、次のような本発明により、上記目的を達成することができる。
【０００９】
（１）ガラス材料からなる基板と、該基板上に設けられたホログラム記録層と、を有してなり、前記基板の表面には、前記ホログラム記録層における位置情報としてマーカが設けられていることを特徴とするホログラフィック記録媒体。
【００１０】
（２）前記マーカは、印刷層からなり、且つ、前記基板における前記ホログラム記録層が設けられている側と反対側の面に設けられていることを特徴とする前記（１）記載のホログラフィック記録媒体。
【００１１】
（３）前記マーカは、記録光又は再生光が入射される側と反対側の面に設けられていることを特徴とする前記（１）又は（２）記載のホログラフィック記録媒体。
【００１２】
（４）前記ホログラム記録層はガラス材料からなる２枚の基板に挟まれた構造とされ、且つ、該２枚の基板の少なくとも一方には前記マーカが設けられていることを特徴とする前記（１）乃至（３）のいずれかに記載のホログラフィック記録媒体。
【００１３】
（５）前記ホログラム記録層は、前記２枚の基板と、該２枚の基板間に配設された封止層によって封止されていることを特徴とする前記（４）記載のホログラフィック記録媒体。
【００１４】
（６）記録光又は再生光が入射される側及びその反対側の少なくとも一方の側の表面には、前記記録光又は再生光の表面反射を防止するための反射防止層が形成されていることを特徴とする前記（１）乃至（５）のいずれかに記載のホログラフィック記録媒体。
【００１５】
（７）ガラス材料からなる基板と、該基板上に設けられたホログラム記録層と、を有してなり、前記基板の表面には、前記ホログラム記録層における位置情報としてマーカが設けられているホログラフィック記録媒体に情報をホログラムとして記録し、且つ、記録された前記情報を再生するホログラフィック記録再生方法であって、前記マーカを、前記情報を記録又は再生するための記録光又は再生光とは異なる波長の光で検出することを特徴とするホログラフィック記録再生方法。
【００１６】
（８）ガラス材料からなる基板と、該基板上に設けられたホログラム記録層と、を有してなり、前記基板の表面には、前記ホログラム記録層における位置情報としてマーカが設けられているホログラフィック記録媒体に情報をホログラムとして記録し、且つ、記録された前記情報を再生するホログラフィック記録再生方法であって、前記マーカを、前記情報を記録又は再生するための記録光又は再生光で検出することを特徴とするホログラフィック記録再生方法。
【００１７】
（９）前記マーカを用いて前記記録光又は再生光の位置合わせを行うことを特徴とする前記（７）又は（８）記載のホログラフィック記録再生方法。
【発明の効果】
【００１８】
本発明に係るホログラフィック記録媒体、及びその記録再生方法によれば、耐湿性、耐熱性、剛性に優れている上に、位置情報を確実に検出することができ、高度な記録再生制御を行うことができるという優れた効果を有する。
【発明を実施するための最良の形態】
【００１９】
本発明に係るホログラフィック記録媒体は、ガラス材料からなる基板と、該基板上に設けられたホログラム記録層と、を有してなり、前記基板の表面には、前記ホログラム記録層における位置情報としてマーカが設けられていることによって、上記課題を解決したものである。
【００２０】
以下、図面を用いて、本発明の実施形態に係るホログラフィック記録媒体について詳細に説明する。
【００２１】
図１に示されるように、本発明の実施形態に係るホログラフィック記録媒体１０は、ガラス材料からなる基板１２と、この基板１２上に設けられたホログラム記録層１４と、を有して構成されており、この例では、基板１２は、ホログラム記録層１４を挟むように２枚配設されている。なお、これら基板１２及びホログラム記録層１４の屈折率は略等しいこと、具体的には、その屈折率の差が０．０５未満であることが好ましい。
【００２２】
ホログラフィック記録媒体１０の下面（基板１２の表面）１０Ａには、ホログラム記録層１４における位置情報としてマーカ１６が設けられており、この例では、マーカ１６は、解像度２４００ｄｐｉのインクジェット印刷によって形成されている。ここで、ホログラフィック記録媒体１０の下面１０Ａは、基板１２におけるホログラム記録層１４が設けられている側と反対側の面であって、記録光又は再生光が入射される側と反対側の面とされている。
【００２３】
なお、印刷によるマーカ１６の解像度は最大で数μｍ程度であるが、ホログラムの記録再生においては数μｍ程度の解像度があれば足りる。即ち、高密度記録が可能なシフト多重方式を適用した場合でも、記録光又は再生光の光スポットの移動ピッチは数十μｍ程度であり、マーカ１６は同程度のピッチで使用できる。
【００２４】
又、図２に拡大して示されるように、マーカ１６は、反射率の高い顔料層１８と透明な顔料の保護層２０からなる。
【００２５】
更に、図３に示されるように、この例では、マーカ１６は、略円形状のドットが所定間隔で一直線上に複数並べられた印刷パターンＰＰ１と、略棒状のラインが所定間隔で一直線上に並べられた印刷パターンＰＰ２の２種類として印刷されており、これらの印刷パターンＰＰ１、ＰＰ２は、記録光又は再生光の進行方向Ｘ（ホログラフィック記録媒体１０が円板状のディスクタイプの場合は、その円周方向）に沿うように所定の間隔Ｌで略平行に印刷されている。又、印刷パターンＰＰ１、ＰＰ２の間隔Ｌは、図４に示されるように、記録光又は再生光とされる信号光ＬＢ１及び参照光ＬＢ２が、マーカ１６を通過しない程度の幅に設定されており、この例では、印刷パターンＰＰ１、ＰＰ２の間隔Ｌは約５００μｍとされている。なお、全印刷パターンの表面積の合計は、基板１２の表面積に対して１／５以下であることが好ましく、１／２０以下であることがより好ましい。
【００２６】
図１に戻って、ホログラム記録層１４は、その厚さが０．１ｍｍ〜数ｍｍ程度とされている。又、このホログラム記録層１４の材料としては、光重合反応を行うことができるモノマー材料を含んだ材料を適用することができ、例えば、前記モノマー材料とマトリックス材料からなるフォトポリマー系記録材料膜等が好適である。又、このホログラム記録層１４は、２枚の基板１２と、この２枚の基板１２間に配設された封止層２２によって封止されている。
【００２７】
封止層２２は、金属材料からなる金属箔２４と、ガラス材料からなるガラスブロック２６によって構成され、ホログラム記録層１４への透湿を防止する役割を果たすと共に、２枚の基板１２間の距離を略一定に保つためのスペーサとしての役割も兼ねている。
【００２８】
又、ホログラフィック記録媒体１０の上面１０Ｂと下面１０Ａには、記録光又は再生光の表面反射を防止するための反射防止層（図示略）が形成されている。なお、下面１０Ａの反射防止層は、マーカ１６を設ける前に基板上に形成してもよいし、マーカ１６を設けた後に形成してもよい。
【００２９】
本実施形態に係るホログラフィック記録媒体１０によれば、ガラス材料からなる基板１２と、この基板１２上に設けられたホログラム記録層１４と、有してなり、ホログラム記録層１４における位置情報としてマーカ１６が設けられているため、耐湿性、耐熱性、剛性に優れている上に、位置情報を確実に検出することができ、高度な記録再生制御が可能である。
【００３０】
より具体的には、ガラス材料は耐湿性に優れているため、ホログラム記録層１４が吸湿によって寸法変化や屈折率変化を起こすのを未然に防止することができる。又、ガラス材料は樹脂材料よりも熱膨張が小さいため、温度変化に対して寸法変化が生じにくい。更に、ガラス材料は剛性に優れているため、ホログラフィック記録媒体１０の反りなどの形状変化を防止することもできる。
【００３１】
しかも、ホログラム記録では光路上に反射、吸収、収差等の原因となる障害物がある場合、ノイズの発生や再生像の劣化等が見られるが、印刷によって位置情報であるマーカ１６を生成することによって、様々な印刷パターンを印刷することができ、記録光又は再生光の光路を広く確保することができる。従って、位置情報を確実に検出することができる上に、従来のホログラフィック記録媒体に比べ、高度な記録再生制御が可能である。
【００３２】
又、ホログラム記録層１４は、２枚の基板１２に挟まれた構造とされている上に、２枚の基板１２間に配設された封止層２２によって封止されているため、ホログラム記録層１４をより確実に保護することができる。
【００３３】
更に、この封止層２２は、２枚の基板１２間の距離を略一定に保つためのスペーサとしても機能することができ、スペーサを別に設ける必要が無い。
【００３４】
又、マーカ１６は、記録光又は再生光が入射される側と反対側の面１０Ａに設けられているため、記録光又は再生光がホログラム記録層１４に入射する前にマーカ１６によって遮られることによって、光量が減少してたり、記録再生時にノイズが発生するのを防止することができる。
【００３５】
更に、マーカ１６は、基板１２におけるホログラム記録層１４が設けられている側と反対側の面１０Ａに設けられているため、マーカ１６を容易に形成することができる。
【００３６】
又、ホログラム記録媒体１０の上面１０Ｂと下面１０Ａには、記録光又は再生光の表面反射を防止するための反射防止層が形成されているため、表面反射によるノイズの発生を防止することができる。
【００３７】
なお、本発明に係るホログラフィック媒体は、上記実施形態に係るホログラフィック媒体１０の形状や構造等に限定されるものではない。
【００３８】
従って、例えば、上記実施形態においては、マーカ１６の印刷パターンをＰＰ１及びＰＰ２の２種類としたが、本発明はこれに限定されず、マーカ１６の印刷パターンは１種類でもよく、又、３種類以上あってもよい。又、印刷パターンの形状は、例えば、ウェーブ形状等、他の形状としてもよい。
【００３９】
更に、マーカ１６をインクジェット方式で印刷したが、マーカ１６の印刷方法はこれに限定されるものではなく、スクリーン印刷等によって印刷してもよい。
【００４０】
又、マーカ１６を記録光又は再生光が入射される側と反対側の面１０Ａに印刷したが、記録光又は再生光が入射される側の面１０Ｂに印刷してもよい。
【００４１】
更に、マーカ１６は、顔料層１８と保護層２０からなるが、顔料層１８のみでも構わない。又、保護層２０は、顔料層１８とは別に印刷以外の方式（例えば、スピンコート）で作成しても構わない。
【００４２】
即ち、本発明に係るホログラフィック記録媒体は、ガラス材料からなる基板と、該基板上に設けられたホログラム記録層と、を有してなり、前記ホログラム記録層における位置情報としてマーカが設けられていればよい。
【００４３】
次に、図３〜図７を用いて、このホログラフィック記録媒体１０の記録（再生）方法について説明する。
【００４４】
ホログラフィック記録媒体１０のマーカの検出には、ホログラムの記録光（又は再生光）である信号光ＬＢ１及び参照光ＬＢ２とは異なる波長のマーカ検出光ＬＢ３が使用される。このマーカ検出光ＬＢ３は、例えば、信号光ＬＢ１及び参照光ＬＢ２が波長４０５ｎｍの青色レーザ光の場合、波長６５０ｎｍの赤色レーザ光を適用することができる。
【００４５】
図５及び図７に示されるように、マーカ検出光ＬＢ３をマーカ１６に照射し、その反射光を検出することでホログラム記録層１４における位置情報を得ることができる。なお、マーカ１６の検出精度を高めるためには、マーカ１６をレベル検出ではなく、エッジ検出とすることが好ましい。このようにして検出された位置情報に基づいて、ホログラムの記録（再生）が行われる。
【００４６】
又、マーカ１６は、記録光（又は再生光）の進行方向Ｘの位置合わせの他、進行方向Ｘに直交する方向Ｙの位置合わせ（いわゆるトラッキングサーボ）や、ホログラフィック記録媒体１０の厚さ方向Ｚの位置合わせ（いわゆるフォーカスサーボ）にも用いられる。
【００４７】
本実施形態に係るホログラフィック記録（再生）方法によれば、マーカ１６を、ホログラムを記録（再生）するための記録光（再生光）とは異なる波長の光で検出するようにしたため、ホログラム記録層１４の感光を抑制することができる上に、マーク検出光ＬＢ３が信号光ＬＢ１及び参照光ＬＢ２と別光源とされているため、ホログラムの記録（再生）とマーカ１６の検出を並行して行うことができる。
【００４８】
又、マーカ１６を用いて記録光（再生光）の位置合わせを行うようにしたため、マーカ１６をアドレス信号としてだけではなく、サーボ信号としても利用することができ、より高度な記録再生制御が可能である。
【００４９】
なお、本発明に係るホログラフィック記録（再生）方法は、上記実施形態に係るホログラフィック記録（再生）方法に限定されるものではない。
【００５０】
上記実施形態においては、マーカ１６を光の反射によって検出することとしたが、本発明はこれに限定されるものでなく、光の透過によってマーカ１６を検出するようにしてもよい。従って、例えば、図８に示されるように、記録光（又は再生光）である参照光ＬＢ２をマーカ１６に照射し、その透過光によってマーカ１６を検出するようにすれば、マーカ１６を検出するために別の光源を設ける必要が無く、ホログラフィック記録媒体１０の記録再生装置の小型化、低コスト等を実現することができる。
【００５１】
又、この場合、参照光ＬＢ２の焦点をマーカ１６の印刷位置に設定すれば、参照光ＬＢ２の焦点を合わせるときに、ホログラフィック記録媒体１０の厚さ方向Ｚの位置検出が可能となる上に、光スポット径が絞られるため、マーカ１６の検出感度をより一層向上させることができる。この場合、マーカ１６に用いられる顔料は、参照光ＬＢ２の反射が低く、十分に吸収するものが好ましい。例えば、参照光ＬＢ２の波長において屈折率ｎ＝１．５２、消衰係数ｋ＝０．０５程度のものを用いることができる。なお、焦点を検出する方法としては、例えばマーカ１６のＯｎ／Ｏｆｆの微分信号が最大となる点を求める方法などを採用することができる。
【図面の簡単な説明】
【００５２】
【図１】本実施形態に係るホログラフィック記録媒体の略示側断面図
【図２】同ホログラフィック記録媒体におけるマーカ周辺の略示側断面図
【図３】同ホログラフィック記録媒体の縦方向の平面図
【図４】図３における矢視IVから見た信号光及び参照光を示す略示側面図
【図５】図３における矢視IVから見たマーカ検出光を示す略示側面図
【図６】同ホログラフィック記録媒体の横方向の平面図
【図７】図６における矢視VIIから見た信号光、参照光及びマーカ検出光を示す略示側面図
【図８】本実施形態に係るホログラフィック記録再生方法の他の例を示す略示側面図
【符号の説明】
【００５３】
Ｌ…間隔
ＬＢ１…信号光
ＬＢ２…参照光
ＬＢ３…マーカ検出光
ＰＰ１、ＰＰ２…印刷パターン
１０…ホログラフィック記録媒体
１２…基板
１４…ホログラム記録層
１６…マーカ
１８…顔料層
２０…保護層
２２…封止層
２４…金属箔
２６…ガラスブロック
【図１】
2005302149.tif 000003
【図２】
2005302149.tif 000004
【図３】
2005302149.tif 000005
【図４】
2005302149.tif 000006
【図５】
2005302149.tif 000007
【図６】
2005302149.tif 000008
【図７】
2005302149.tif 000009
【図８】
2005302149.tif 000010